(57)【要約】      （修正有）【課題】従来の治療モードにおいて照度の切り換えが行えるようにした場合に、医師やアシスタントが照明器より放射される光量を見ただけでは、治療モードの暗い照度であるのか、コンポジットモード時の照度であるのかの判別が難しくなるといった問題があった。治療モードとコンポジットモード時の判別が可能な診療用照明器のモード表示方法を提供する。【解決手段】診療時に施術部位を照明するための照明装置に、何れの方向からも見ることが可能な位置に少なくとも２色の色を発光する発光ダイオード等の表示用光源６１ａを配置し、診療モード時における照度の違いに応じて前記表示用光源を選択点灯させることで診療モード時の明るさを表示し、また、コンポジットモード時には前記点灯状態にある表示用光源を点滅させることにより、コンポジットモードであることを表示するようにした診療用照明器のモード表示方法。【選択図】図４
2005080959.tif 000002
【特許請求の範囲】
【請求項１】
診療時に施術部位を照明するための照明装置に、何れの方向からも見ることが可能な位置に少なくとも２色の色を発光する発光ダイオード等の表示用光源を配置し、診療モード時における照度の違いに応じて前記表示用光源を選択点灯させることで診療モード時の明るさを表示し、また、コンポジットモード時には前記点灯状態にある表示用光源を点滅させることにより、コンポジットモードであることを表示するようにしたことを特徴とする診療用照明器のモード表示方法。
【請求項２】
元電源を遮断して制御回路への通電を行わないランプの消灯状態においては、前記表示用光源を消灯させることで、電源投入状態であるか否かの判別が行えるようにしたことを特徴とする請求項１記載の診療用照明器のモード表示方法。
【請求項３】
診療時に施術部位を照明するための照明装置と、何れの方向からも見ることが可能な位置に取付けられた少なくとも２色の色を発光する発光ダイオード等の表示用光源と、診療モード時に操作して照度を異ならしめるために前記表示用光源を選択して点灯させる照度切換手段と、前記診療モードからコンポジットモードに切り換え前記点灯中の前記表示用光源を点滅させるモード切換手段と、前記照度切換手段の操作により前記表示用光源を選択して点灯させ、また、前記モード切換手段によって点灯中の前記表示用光源を点滅させるための制御回路とを具備したことを特徴とする診療用照明器のモード表示装置。
【請求項４】
元電源を遮断して前記制御回路への通電が行わない状態にあっては、前記表示用光源に対して通電を行わないような回路構成となっていることを特徴とする請求項３記載の診療用照明器のモード表示装置。
【請求項５】
前記表示用光源は、照明装置を取付けるためのヨークの下端に収容され、前記表示用光源からの光を均一に発光するための光拡散レンズが前記表示用光源に対向して配置され、また、表示用光源が取付けられている基板には前記照度切換手段が取付けられていることを特徴とする請求項３記載の診療用照明器のモード表示装置。
【請求項６】
前記モード切換手段が非接触スイッチであることを特徴とする請求項３記載の診療用照明器のモード表示装置。
【請求項７】
前記モード切換手段が、前記照明装置におけるミラーを取付けるブラケットフレームの下面側に配置されていることを特徴とする請求項３記載の診療用照明器のモード表示装置。
【発明の詳細な説明】
【技術分野】
【０００１】
本発明は、医療、特に、歯科用治療において患者の口元を照明する照明器において、患者の治療を行うための高い照度時と低い照度時との表示状態と、コンポジットレジンを使用している時の治療時の照度の表示状態を明確に表示することで、外部から照明器に取付けられたモード表示手段を見ることで治療モードを知ることが可能な診療用照明器のモード表示方法およびその装置に関する。
【背景技術】
【０００２】
従来における歯科用治療の時に患者の口元を照明する照明器にあっては、虫歯等の治療を行う時に点灯し、また、該治療が終了した時に消灯するための手段として、赤外線を利用した非接触スイッチを利用し、消灯時に非接触スイッチに手をかざすことで点灯させ、消灯させるためにはもう一度非接触スイッチに手をかざすことで消灯させるといった技術が、例えば、実公平７−１１２５号公報に開示されている。そして、その効果としては、非接触スイッチにより衛生的であるというものであった。
【０００３】
この公知例にあっては、単に、照明灯の点灯・消灯を制御するだけのものであるため、治療を行う明るさで前記照明灯を点灯した状態で、虫歯予防の治療において治療を行った部分にコンポジットレジンを埋めた場合、治療中のコンポジットレジンが硬化してしまうといった問題がある。
【０００４】
このような問題を解決するために、本出願人は先願の出願である特願２００２−１０４９６６を出願した。この出願の発明は、照度の高い治療（診療）モードと照度の低いコンポジットモードとの切り換えを非接触スイッチで行うこと、また、該非接触スイッチに手をかざす時間を短くすることで照明灯の点灯・消灯も行えるようにしたこと、さらに、治療モード時の照度をそれぞれ複数記憶させて照度の変更ができるようにした技術である。
【特許文献１】実公平７−１１２５号公報
【発明の開示】
【発明が解決しようとする課題】
【０００５】
ところで、前記したような治療モードにおいて照度の切り換えが行えるようにした場合に、医師やアシスタントが照明器より放射される光量を見ただけでは、治療モードの暗い照度であるのか、コンポジットモード時の照度であるのかの判別が難しくなるといった問題があった。
【０００６】
本発明は前記した問題点を解決せんとするもので、その目的とするところは、少なくとも治療モードの照度２つと、また、コンポジットモードとの計少なくとも３つの照度の切り換えが行えるようにし、かつ、前記３つの各モードの状態を表示する表示手段を、照明器の何れからの方向からも認識可能な位置に配置することで、照明器よりの照度が何れのモードであるかの確認を容易に把握できる診療用照明器のモード表示方法およびその装置を提供せんとするにある。
【課題を解決するための手段】
【０００７】
本発明の診療用照明器のモード表示方法は前記した目的を達成せんとするもので、請求項１の手段は、診療時に施術部位を照明するための照明装置に、何れの方向からも見ることが可能な位置に少なくとも２色の色を発光する発光ダイオード等の表示用光源を配置し、診療モード時における照度の違いに応じて前記表示用光源を選択点灯させることで診療モード時の明るさを表示し、また、コンポジットモード時には前記点灯状態にある表示用光源を点滅させることにより、コンポジットモードであることを表示するようにしたことを特徴とする。
【０００８】
請求項２の手段は、前記した請求項１の手段において、元電源を遮断して制御回路への通電を行わないランプの消灯状態においては、前記表示用光源を消灯させることで、電源投入状態であるか否かの判別が行えるようにしたことを特徴とする。
【０００９】
本発明の診療用照明器のモード表示装置における請求項３の手段は、診療時に施術部位を照明するための照明装置と、何れの方向からも見ることが可能な位置に取付けられた少なくとも２色の色を発光する発光ダイオード等の表示用光源と、診療モード時に操作して照度を異ならしめるために前記表示用光源を選択して点灯させる照度切換手段と、前記診療モードからコンポジットモードに切り換え前記点灯中の前記表示用光源を点滅させるモード切換手段と、前記照度切換手段の操作により前記表示用光源を選択して点灯させ、また、前記モード切換手段によって点灯中の前記表示用光源を点滅させるための制御回路とを具備したものである。
【００１０】
請求項４の手段は、前記した請求項３の手段において、元電源を遮断して前記制御回路への通電が行わない状態にあっては、前記表示用光源に対して通電を行わないような回路構成となっていることを特徴とする。
【００１１】
請求項５の手段は前記した請求項３の手段において、前記表示用光源が照明装置を取付けるためのヨークの下端に収容され、前記表示用光源からの光を均一に発光するための光拡散レンズが前記表示用光源に対向して配置され、また、表示用光源が取付けられている基板には前記照度切換手段が取付けられていることを特徴とする。
【００１２】
請求項６の手段は前記した請求項３の手段において、前記モード切換手段が非接触スイッチであることを特徴とし、請求項７の手段は前記した請求項３の手段において、前記モード切換手段が、前記照明装置におけるミラーを取付けるブラケットフレームの下面側に配置されていることを特徴とする。
【発明の効果】
【００１３】
本発明は前記したように、診療モード時においては照度の違いに応じて表示用光源を選択点灯させることで診療モード時の明るさが表示され、また、コンポジットモード時には前記点灯状態にある表示用光源を点滅させることにより、コンポジットモードであることを表示するので、医師やアシスタントが照明装置よりの照度が如何なる状態であるかを明確に判断でき、従って、診療（治療）時において照明装置からの光を直接目で確認することなく知ることができるので、特に、コンポジットレジンを使用しての治療時にレジンが誤って硬化してしまうなどの恐れが防止できる。
【００１４】
また、制御回路への通電が行われていないランプの消灯状態においては、表示用光源を消灯するので、元電源の投入状態であるか否かの判別が行え、従って、ランプの寿命で交換が必要となるような場合にも、表示用光源の消灯状態からランプへの通電が行われていないことを確認でき、感電することがないものである。
【００１５】
さらに、表示用光源からの光は光拡散レンズを介して照射されるため、何れの方向からも照明装置の点灯状態（照度の状態）を確認できるので、医師やアシスタントによる操作ミスを防止することができる。
【００１６】
また、モード切換手段が非接触スイッチとすることで、頻繁に切り換え操作を行う必要のあるスイッチに手を触れなくともモード切り換えが行え、衛生面でも有利である等の効果を有するものである。
【発明を実施するための最良の形態】
【００１７】
本発明は、少なくとも治療モードの照度２つと、コンポジットモードとの計少なくとも３つの照度の切り換えが行えるようにし、かつ、前記３つの各モードの状態を表示する表示手段を、照明器の何れからの方向からも認識可能な位置に配置した。
【実施例１】
【００１８】
以下、本発明に係る診療用照明器のモード表示装置（歯科用に応用した場合）の実施例を図１〜図８と共に説明する。
図１、図２は全体の正面図と側面図とを示し、１は例えば、スピットンボールやアシスタントが使用する器具が装備されている機器から起立されたＬ字状の起立杆、２は該起立杆１の水平部先端に一端が垂直軸を支点として回動自在に軸支された上下方向に回動するバランスアーム、３は該バランスアーム２の他端に水平軸を支点として回動自在に取付けられたヨークにして、該ヨーク３は前記バランスアーム２の軸支されたヨークジョイント３ａと、該ヨークジョイント３ａに対して回転自在に形成されたヨーク本体３ｂとより構成されている。
【００１９】
また、ヨーク本体３ｂには斜め下方に延長された半円弧状のアーム３ｃが形成されており、該アーム３ｃに対して水平軸を支点として回動自在にブラケットフレーム（図示せず）が取付けられ、このブラケットフレームに対して照明装置４が固定されている。そして、照明装置４の左右両側にはハンドル４ａが固定されており、該ハンドル４ａを操作することで前記した各軸部によって水平方向、垂直方向および左右方向に照明装置４を変位させることができ、これにより、照明装置４より放射される放射光を患者の口元に向けることが可能となっている。なお、４ｂは前記ブラケットフレームの背面を覆うブラケットカバーである。
【００２０】
前記ブラケットフレームの下方には、モード切換手段５である非接触スイッチあるいは手によって操作するトグルスイッチが取付けられ、該モード切換手段５の切り換えによって診療（虫歯の治療等）状態からコンポジット状態への切り換え、あるいは、逆の切り換えが行われる。なお、前記非接触スイッチとしては、例えば、赤外線ＬＥＤよりの赤外線を人体（手のひら）で反射させて、該反射された赤外線を検出することでスイッチの切り換えが行われるものである。
【００２１】
次に、本発明の要部であるモード表示装置６の詳細を図３、図４と共に説明する。  モード表示装置６は前記したヨーク本体３ｂの下部に取付けられており、該モード表示装置６は表示用光源６１ａおよび該表示用光源が取付けられた基板６１と、前記表示用光源６１ａよりの光を拡散して外部に放射するアクリル樹脂等からなる光拡散レンズ６２とから構成されている。
【００２２】
前記表示用光源６１ａは１対のチップ型ＬＥＤ等のＬＥＤであって、それぞれのＬＥＤは橙と緑の光を発光する複合型ＬＥＤとなっており、また、該表示用光源６１ａを点灯・消灯あるいは点滅させるための点灯回路が実装されている。なお、１対の表示用光源はそれぞれ橙と緑の一色のみで点灯するものであってもよく、かつ、色としては橙と緑以外かの青等の色、あるいは、赤、緑、青等の混合色であってもよい。
【００２３】
前記基板６１には診療モードにおいて、前記表示用光源６１ａを橙色あるいは緑色に点灯させるためのモーメンタリースイッチ等の照度切換手段６３が実装されている。そして、基板６１と光拡散レンズ６２はネジ止め等の手段によって一体化された状態で前記ヨーク本体３ｂ内に組み込まれ、該組み込んだ状態において光拡散レンズ６２はヨーク本体３ｂの下端に露出した状態となっている。また、照度切換手段６３は光拡散レンズ６２の中央部分を貫通して下方に突出している。
【００２４】
前記光拡散レンズ６２には、前記基板６１と一体化した状態において、前記表示用光源６１ａと対向する位置に、周面方向に表示用光源６１ａよりの光を放散さるためのレンズ部６２ａが形成され、かつ、周面と粗面に形成され反射拡散面６２ｂとなっている。
【００２５】
前記光拡散レンズ６２の下面にはゴム等の柔軟性材料による椀状のキャップ６４が着脱自在に取付けられ、該キャップ６４を下方から押すことにより、前記照度切換手段６３の操作部６３ａが押されてスイッチの切り換えが行われ、これにより、Ｈ状態のランプがＬ状態に、また、Ｌ状態のランプがＨ状態に切り換えられ、かつ、点灯中の表示用光源６１ａの発光色を緑から橙、あるいは、橙から緑に切り換えられる。
【００２６】
次に、前記したモード表示装置６における表示用光源６１ａの点灯を制御するための制御回路を図５のブロック図と共に説明する。なお、制御回路は歯科用ユニット側の例えば、ドクターテーブル等に組み込まれている。
６３ａは前記した診療モード時において照度を切り換えるためのプッシュスイッチである照度切換手段、５は前記した非接触スイッチやトグルスイッチであるモード切換手段、７１は歯科ユニットであるドクターテーブル等に組み込まれた電源のオン・オフや前記モード切換手段と同様に扱うためのユニット側操作スイッチ、７２はユニット側に設けられている各種のスイッチ（例えば、治療椅子の上下、背凭れの起伏等）を制御用スイッチから、前記ユニット側操作スイッチ７１が操作されたことを判断して後述するコンピュータである信号処理回路７３に前記電源のオン・オフや前記モード切換手段が操作されたことの信号を送出するユニット側制御部である。
【００２７】
７３は図６〜図８に示すフローチャートにて動作制御を行うマイコン信号処理回路、７４は前記表示用光源６１ａが実装された基板６１に組み込まれた点灯回路、６１ａは前記した表示用光源６１ａにして、前記した信号処理回路７３よりの信号によって前記点灯回路７４を介して点灯（緑、橙）・点滅制御される。なお、図示していないが、前記したユニットには前記制御回路の電源のオン・オフを行うための元電源スイッチが設けられている。
【００２８】
次に、前記したブロック図の動作を図６〜図８と共に説明する。
先ず、図６の電源投入状態による表示切り換えの動作について説明する。
元電源が投入されているか否かを信号処理回路７３は判断して、元電源が投入されていないと判断した場合には点灯されている表示用光源６１ａがある場合には、該表示用光源６１ａ（以下、単にＬＥＤ６１ａという）を消灯し、また、消灯状態であってもステップＳ１に戻って継続して元電源が投入されるか否かを監視し続ける（ステップＳ１）。
【００２９】
そして、前記判断において元電源が投入されたと判断した場合には、前回に元電源が遮断された時の照明装置４におけるランプの照度が信号処理回路７３に記憶されているので、前回の照度がＨであるか否かを信号処理回路７３で判断し（ステップＳ３）、Ｈであると判断すると緑色のＬＥＤ６１ａを点灯させ（ステップＳ４）、Ｌであると判断すると橙色のＬＥＤ６１ａを点灯させる（ステップＳ５）。
【００３０】
次に、前記した元電源が投入されている状態において、照度切換手段６３の切り換えを行って診療モード時における施術のためのランプ４１の照度を切り換える動作を図７と共に説明する。
先ず、信号処理回路はモーメンタリースイッチである照度切換手段６３が操作されたか否かを監視し、操作が行われなかった判断した場合には、照度切換手段６３が操作されるまで監視を続ける（ステップＳ１１）。
【００３１】
そして、前記監視において照度切換手段６３が操作されたと判断すると、前回の照明装置４におけるランプの照度がＨ（緑色のＬＥＤが点灯状態）に設定されていたかを判断し（ステップＳ１２）、照度がＨである場合には前記ランプの照度をＬに切り換えると共に橙色のＬＥＤを点灯させ（ステップＳ１３）、前記判断において前記ランプの照度がＨでないと判断した場合には、ランプの照度をＨに切り換えると共に緑色のＬＥＤを点灯させる（ステップＳ１４）。
【００３２】
次に、非接触スイッチであるモード切換手段５に手を近づけてモードの切り換え（診療モードからコンポジットモードへ、あるいはその逆モード）および照明装置のランプの点滅制御を図８と共に説明する。
信号処理回路７３は非接触スイッチであるモード切換手段５に手が近づけられたと判断されると、近づけている時間が予め設定した時間より短いか否かの判断を行い（ステップＳ２１）、前記設定した時間より短いと判断した場合には、照明装置４におけるランプのオン・オフ制御であると信号処理回路７３は判断して、ランプが点灯状態である時には消灯させ、消灯状態である時には点灯させる（ステップＳ２２）。なお、この状態においては、ランプのみの点灯・消灯制御が行われ、表示用光源６１ａはモード切り換えが行われた状態が維持される。
【００３３】
そして、手を近づけられた時間が前記設定した時間より長い判断した場合には、以前におけるランプの点灯状態がＨでの点灯状態（ＬＥＤ緑色で点灯）であったか否かを信号処理回路７３は判断し（ステップＳ２３）、Ｈでないと判断すると橙色のＬＥＤをコンポジットモードを示す点滅操作に切り換えると共にランプをコンポジットモードであるＬＬに切り換え（ステップＳ２５）、また、Ｈであると判断すると点灯中の緑色ＬＥＤをコンポジットモードを示す点滅操作に切り換えると共にランプをコンポジットモードであるＬＬに切り換える（ステップＳ２６）。
【００３４】
前記した動作においてモード切換手段５である非接触スイッチに手を近づける時間によってランプのオン・オフ制御を行い、また、診療モードからコンポジットモードへの切り換えや逆の切り換えを行うようにしたが、これらの動作はユニットに設けられたユニット側操作スイッチによって行うことも可能である。また、このようにユニット側操作スイッチによって前記動作の切り換えを行う場合には、前記モード切換手段５である非接触スイッチをトグルスイッチに置き換えてもよい。
【産業上の利用可能性】
【００３５】
前記した実施例にあっては、歯科用のモード表示装置として説明したが、その他の診療、例えば、産婦人科、泌尿器科等の診療、治療において、施術患部や医師の作業手元部位を照明するものにも応用できるものである。
【図面の簡単な説明】
【００３６】
【図１】診療用照明装置の全体を示す正面図である。
【図２】同上の側面図である。
【図３】本発明のモード表示装置の要部を示す斜視図である。
【図４】同上の断面図である。
【図５】モード表示装置の制御回路を示すブロック図である。
【図６】電源投入状態による表示切り換え動作を示すフローチャートである。
【図７】照度切換手段による表示切り換え動作を示すフローチャートである。
【図８】モード切換手段によるモード切り換え動作を示すフローチャートである。
【符号の説明】
【００３７】
４          照明装置
５          モード切換手段（非接触スイッチ）
６          モード表示装置
６１ａ      表示用光源（ＬＥＤ）
６２        光拡散レンズ
６３        照度切換手段
【図１】
2005080959.tif 000003
【図２】
2005080959.tif 000004
【図３】
2005080959.tif 000005
【図４】
2005080959.tif 000006
【図５】
2005080959.tif 000007
【図６】
2005080959.tif 000008
【図７】
2005080959.tif 000009
【図８】
2005080959.tif 000010
【手続補正書】
【提出日】平成15年11月21日(2003.11.21)
【手続補正１】
【補正対象書類名】図面
【補正対象項目名】図５
【補正方法】変更
【補正の内容】
【図５】
2005080959.tif 000011